(57)【要約】本発明はエンベロープ部及びキャップ部を有するランプに係る。エンベロープ部はつまみ部を有し、該つまみ部は、つまみ部を超えて外方へ延びる２つの平行な引込み導体線を備えられる。キャップ部分は、ランプホルダの対応する電気接点に接触するよう２つの接点部材を有する。各導体線は、キャップ部の対応する接点部材に接続される。２つの平らな面はつまみ部の両側に存在し、前述の面は前述の導体線を介する平面に対して平行である。キャップ部の圧着構成要素は、キャップ部に対してエンベロープ部の固定を与えるよう前述の面を終端とする。
2007528096.tif 000002
【特許請求の範囲】
【請求項１】
エンベロープ部及びキャップ部を有するランプであって、
前記エンベロープ部はつまみ部分を有し、前記つまみ部分は前記つまみ部分を越えて外方へ延びる２つの平行な引込み導体線を備えられ、
前記キャップ部は、ランプホルダの対応する電気接点と接触するよう２つの接点部材を有し、各導体線は、前記キャップ部の対応する接点部材に接続され、
２つの平らな面は、前記つまみ部分の両側に存在し、前記面は前記導体線を介して前記平面に対して平行であることと、前記キャップ部の圧着構成要素は、前記面を終端とすることと、を特徴とする、
ランプ。
【請求項２】
前記２つの接点部材は、外方へ延びる管状部材である、ことを特徴とする、
請求項１記載のランプ。
【請求項３】
前記つまみ部分はＩ型の断面を有することと、前記平らな面は前記Ｉ型の中心部に置かれることと、を特徴とする、
請求項１又は２記載のランプ。
【請求項４】
前記圧着構成要素は、金属スプリング構成要素である、ことを特徴とする、
請求項１乃至３のうちいずれか一項記載のランプ。
【請求項５】
前記金属スプリング構成要素は、前記スプリング構成要素が塑性変形を受けるため、前記エンベロープ部及び前記キャップ部が互いに対して所定の位置に固定される際に適用される、ことを特徴とする、
請求項４記載のランプ。
【請求項６】
前記圧着構成要素は、前記キャップ部の突起を囲む金属の帯状の部分であるため前記突起に固定され、前記帯の一部分は、前記突起からある距離をおいて置かれ、前記突起は、前記エンベロープ部の前記つまみ部分の前記平らな面を終端とする、ことを特徴とする、
請求項１乃至５のうちいずれか一項記載のランプ。
【請求項７】
エンベロープ部がキャップ部に接続されるランプを製造する方法であって、
前記エンベロープ部は、つまみ部分を有し、前記つまみ部分を越えて外方へ延びる２つの平行な引込み導体線を備えられ、
前記キャップ部は、ランプホルダの対応する電気接点と接触するよう２つの接点部材を有し、各導体線は、前記キャップ部の対応する接点部材に接続され、
前記エンベロープ部及び前記キャップ部が互いに対して所定の位置に固定される際、前記導体線は前記接点部材にはんだ付けされるか溶接され、２つの圧着構成要素は、前記キャップ部に取り付けられ、前記２つの圧着構成要素は、前記つまみ部の両側で２つの平らな面を終端とし、前記面は、前記導体線を介して前記平面に対して平行である、ことを特徴とする、
方法。
【請求項８】
前記圧着構成要素は、金属スプリング構成要素であることと、前記金属スプリング構成要素は、前記ランプの前記キャップ部に取り付けられる際に塑性変形を受けることと、を特徴とする、
請求項７記載の方法。
【請求項９】
前記圧着構成要素は、金属の帯状の部分であり、前記帯状部分の端部は、前記帯状部分が前記キャップ部の突起を囲む際に、共に溶着されるため、前記突起に固定され、一方で、前記帯の一部分は、前記突起からある距離をおいて置かれ、前記部分は、前記エンベロープ部の前記つまみ部分の前記平らな面を終端とする、ことを特徴とする、
請求項７又は８記載の方法。
【発明の詳細な説明】
【技術分野】
【０００１】
本発明は、エンベロープ部及びキャップ部を有するランプに係る。該エンベロープ部は、つまみ部分を有し、該つまみ部分は、つまみ部分を越えて外方へ延びる２つの平行な引込み導体線を備えられる。前記キャップ部は、ランプホルダの対応する電気接点に接触するよう２つの接点部材を有する。各導体線は、前記キャップ部の対応する接点部材に接続される。
【背景技術】
【０００２】
ランプは、ハロゲン・ランプ等の白熱電球、又はエンベロープ部及びキャップ部を有する他の全ての種類のランプであり得る。２つの引込み導体線とは別に、ランプの特定の種類と同様に、第３の引込み導体線及び対応する第３の接点部材があり得る。
【０００３】
ランプのエンベロープは、石英ガラス又は他の透明な材料で作られ得、ランプの発光構成要素を覆う。前述の発光構成要素に電力を送る２つ（又はそれ以上）の導体線は、エンベロープのつまみ部分にはめ込まれ、前述のつまみ部分の外側で延びる。ランプのキャップ部は、主にセラミック材料等の絶縁材料で作られ、導体線がはんだ付け又は溶接作業によって接続される金属接点部材を備えられる。
【０００４】
ランプのエンベロープ部とキャップ部との間の適切な固定は、多種の手法で達成される。多くの応用に対して、特に放射光が反射体によって反射される場合は、キャップ部に対するエンベロープ部の正しい位置付けが重要である。いずれの場合も、固定は信頼性が無ければならない。
【０００５】
ランプのキャップ部に対するランプのエンベロープ部の固定の通常の方法は、結合材料としてのセメントの適用である。しかしながら、セメントは、湿気に対する脆弱性等の複数の不利点を有し、品質がさほど一定ではない。更に、セメントは、ランプ製造において汚染を引き起こす。
【発明の開示】
【発明が解決しようとする課題】
【０００６】
本発明は、ランプのエンベロープ部とキャップ部との間の信頼性が高く簡単な固定を与えることを目的とする。
【課題を解決するための手段】
【０００７】
この目的を達成するよう、平らな面がつまみ部分の両側に存在する。前述の面は、前述の導体線を介して平面に対して平行であり、キャップ部の圧着構成要素は前述の面を終端とする。故にエンベロープ部は、一方は導体線によって、他方は圧着構成要素によって、キャップ部に対する位置に固定される。実際に、この固定手段の組合せが効果的であることは証明されている。
【０００８】
望ましい一実施例では、キャップ部の２つの接点部材は、外方に延びる管状部材、即ち中空のピンであり、それを介して導体線が延びる。各導体線は、管状部材の端部で対応する管状部材にはんだ付け又は溶接され得る。
【０００９】
望ましくは、つまみ部分はＩ型の断面を有し、平らな面は前述のＩ型の中心部に置かれる。かかる断面は、ランプのエンベロープ部の残りの部分を有するよう適切である堅固且つ剛性なつまみ部分を与える。
【００１０】
望ましい一実施例では、圧着構成要素は、ランプのキャップ部につけられ得る金属スプリング構成要素である。スプリング構成要素が適用される際、該構成要素は弾性変形を受けるため、エンベロープ部のつまみは、スプリングの力によってスプリング構成要素の間で圧着される。
【００１１】
望ましくは、金属スプリング構成要素は、スプリング構成要素が弾性変形を受けることにより、エンベロープ部及びキャップ部が互いに対して所定の位置に固定される際に適用される。弾性変形は、スプリング構成要素が、キャップ部に対するつまみ部の位置とは無関係に所定の力を有してつまみ部の平らな面に対して押す、ことを確実にする。
【００１２】
望ましい一実施例では、圧着構成要素は、キャップ部の突起を囲む金属の帯状部分であり、前述の突起に対して固定され、帯部は、突起からある距離をおいて位置付けられる。該部分は、エンベロープ部のつまみ部分の前述の平らな面を終端とする。前述の帯部は、外方に延びるループへと湾入され得る。
【００１３】
本発明は更に、ランプを製造する方法に係る。該方法によって、エンベロープ部はキャップ部に接続される。エンベロープ部はつまみ部分を有し、つまみ部分は前述のつまみ部分を越えて外方に延びる２つの平行な引込み導体線を備えられる。キャップ部は、ランプホルダの電気接点に対応して接触する２つの接点部材を有する。各引込み導体線は、キャップ部の対応する接点部材に接続され、エンベロープ部及びキャップ部が互いに対して所定の位置に維持される際に、引込み導体線は接点部材にはんだ付け又は溶接される。圧着構成要素はキャップ部に取り付けられ、つまみ部の両側に存在する平らな面を終端とし、前述の面は前述の引込み導体線を介する平面に対して平行である。
【発明を実施するための最良の形態】
【００１４】
本発明は、図面を参照してランプの一実施例の記述を用いて説明される。図面は実施例に関する単なる略図である。
【００１５】
図１は、エンベロープ部１及びキャップ部２を有するランプを図示する。エンベロープ部１は、石英ガラスで作られ、ランプの発光構成要素を覆う透明なエンベロープ３を有する。エンベロープ部１は、Ｉ型断面を有するつまみ部分４を更に有し、ランプのキャップ部２によってはめ込まれる。
【００１６】
キャップ部２は、主にセラミック材料で作られ、夫々が中空の金属ピンである２つの金属接点部材４を有する。これらの接点部材５は、ランプがランプホルダにはめられている際はランプホルダの対応する接点に接触する。キャップ部２は、つまみ部分４の両側に位置付けられ、キャップ部２の主要ボディ７から延びる２つの突起６を更に有する。図１では１つの突起６のみが可視である。各突起６は、金属圧着構成要素８によって覆われる。２つの圧着構成要素は、つまみ部４の両側で平らな面を終端とし、つまみ部４を圧着する。
【００１７】
図２はランプの側面図であり、キャップ部２の一部分は、断面図にて１つの接点部材５を示すよう取り除かれている。断面図は、２つの接点部材５を介する平面におけるキャップ部２を図示する。
【００１８】
接点部材５は、キャップ部２の主要ボディ７における穴に固定される金属の中空の管９で構成される。図２の断面部に図示される通り、引込み導体線１０は、エンベロープ部１のつまみ部分４に埋め込まれる。前述のつまみ部分４の外側に延びる引込み導体線１０は、管９の内部に位置付けられる。引込み導体線１０は、前述の管９の端部１１で管９にはんだ付け又は溶接され、その接続は、ランプのエンベロープ部１とキャップ部２との間の固定手段の一部を形成する。２つの圧着構成要素８は、前述の固定手段の他の部分を形成する。図２は、ただ１つの圧着構成要素８を図示するが、図３はいずれの圧着構成要素８も図示する。
【００１９】
図３は、図２に示す通り断面図であり、エンベロープ部１のつまみ部分４を断面図で、キャップ部２を平面図で図示する。つまみ部分４は、Ｉ型断面を有し、２つの引込み導体線１０を囲む。Ｉ型の中心部１３は、両側で平らな面１４を備えられる。
【００２０】
図３に示される通り、各圧着構成要素８は、キャップ部２の突起６を覆う。圧着構成要素９８は、金属の帯状部分であり、帯部の端部は共に溶接され、参照符号１５で示される。帯部の他の部分は湾曲され、突起６の面からある距離をおいてループ１６を形成する。２つの圧着構成要素８のループ１６は、つまみ部分４の両側で平らな面１４を終端とし、つまみ部分４は、ループ１６の間で圧着される。２つの導体線１０を介した接続と共にこの圧着動作は、ランプのキャップ部２へのエンベロープ部１の効果的な固定を達成する。
【００２１】
図４は、ランプのキャップ部２に取り付けられる前の圧着構成要素８を図示し、図５は、取り付けられた後の圧着構成要素８を図示する。圧着構成要素８は以下の通りに適用される。図４に図示される形状では、圧着構成要素８は、キャップ部２の突起６の周囲に置かれる。続いて、圧着構成要素８は、図５に図示された形状にされる。結果として、突起６の周囲で圧着するため、突起６に対して固定される。更に、ループ１６は、更に外方へ、即ち突起６から離れて動くため、つまみ部４の面１４を終端とする。そこで、ループ１６の金属材料は変形され、結果として圧着構成要素８と面１４との間に大きな圧縮力をもたらす。圧着構成要素８は、故に、スプリング構成要素として機能する。望ましくは、ループ１６の変形は、塑性変形に制限されないが、弾性変形を有する。かかる弾性変形は、最大の圧縮力が存在することと、更には圧縮力がつまみ部４の両側で均等であることとを確実にする。
【００２２】
圧着構成要素８が図５に図示された最終形状にされた後、その端部は、参照符号１５で示された通り、スポット溶接作業によって溶接される。
【００２３】
説明されたランプの実施例は単に一例である。即ち、他の種類のランプを有する他の多くの実施例が可能である。
【図面の簡単な説明】
【００２４】
【図１】実施例の斜視図である。
【図２】実施例の側面図である。
【図３】図２中の線ＩＩＩ−ＩＩＩ上での断面図である。
【図４】圧着構成要素の図である。
【図５】圧着構成要素の図である。
【図１】
2007528096.tif 000003
【図２】
2007528096.tif 000004
【図３】
2007528096.tif 000005
【図４】
2007528096.tif 000006
【図５】
2007528096.tif 000007